(57)【要約】    【課題】  マスクシートやストッパーの紛失のおそれがなく、多数の合成画像に基づく画像変化や動画を確実かつ容易に楽しむことを可能とするスライド式画像変化表示冊子を提供する。    【解決手段】  ４種類の画像を基に作成されたグリッド状の合成画像７が第１の面に、第２の面に文字もしくは図柄情報８が表されている複数枚の合成画像シート２〜６が第１の辺側において、第１の面と第２の面とが対向するように綴じられており、複数枚の合成画像シート２〜６の内、１枚の合成画像シート２において、複数枚の合成画像シート２〜６が綴じられている第１の辺とは異なる第２の辺において、マスクシート１３が、合成画像観察状態と、ページ送り可能状態とをとり得るように連結されており、マスクシート１３の上記合成画像観察状態におけるスライド可能範囲が、４種類の画像の各画像を観察し得る範囲とされている、スライド式画像変化表示冊子１。【選択図】      図１
2006178336.tif 000002
【特許請求の範囲】
【請求項１】
４種類の画像を基に作成されたグリッド状の合成画像が第１の面に表されており、第２の面に文字もしくは図柄情報が表されている複数枚の合成画像シートが、重なり合う合成画像シートの第１の面と第２の面とが対向するように第１の辺側において綴じられており、
前記複数枚の合成画像シートの内、１枚の合成画像シートにおいて、前記複数枚の合成画像シートが綴じられている前記第１の辺とは異なる第２の辺において、透過部と遮蔽部とが規則的に配置されており、前記合成画像上でスライドさせることにより観察される画像を変化させるマスクシートが、合成画像シートの第１の面に重ねられ、かつ第１の面上において移動され得るように配置された合成画像観察状態と、前記合成画像シートの側方に配置された合成画像シートをページ送りすることができるページ送り可能状態とをとり得るように連結されており、
前記マスクシートのスライド可能範囲が、４種類の画像の各画像を観察し得る範囲とされていることを特徴とする、スライド式画像変化表示冊子。
【請求項２】
前記複数枚の合成画像シートが前記第１の辺側において、リング状結束具で綴じられており、かつ前記マスクシートが、前記少なくとも１枚の合成画像シートの第２の辺側においてリング状結束具により綴じられている、請求項１に記載のスライド式画像変化表示冊子。
【請求項３】
前記第２の辺が、前記第１の辺とは対向する辺である、請求項１または２に記載のスライド式画像変化表示冊子。
【請求項４】
前記第２の辺側に配置されたリング状結束具が、前記マスクシートに設けられた複数の貫通孔に挿通されており、該貫通孔の寸法が、前記マスクシートをスライドさせ得る範囲に対応した大きさとされている、請求項１〜３のいずれか１項に記載のスライド式画像変化表示冊子。
【請求項５】
前記第２の面に表されている情報がカレンダー情報である、請求項１〜４のいずれか１項に記載のスライド式画像変化表示冊子。
【発明の詳細な説明】
【技術分野】
【０００１】
本発明は、４種類の原画像を元に作成されたグリッド状の合成画像を、専用のマスクシートを利用して観察することにより、４種類の画像の変化、ひいては４コマの動画を観察し得る構成が備えられているスライド式画像変化表示冊子に関する。
【背景技術】
【０００２】
印刷により形成された画像は、通常固定されている。従って、印刷された画像は、静止画像すなわち固定画像として観察される。これに対して、印刷された画像と、画像上に載置されるマスクシートを用い、該マスクシートを画像上で移動させることにより画像を変化させる試みが種々なされている。
【０００３】
例えば、下記の特許文献１には、この種の画像変化表示装置の一例が開示されている。図７〜図１３を参照して、特許文献１に記載のスライド式画像変化表示装置の概略を説明する。
【０００４】
スライド式画像変化表示装置１０１は、合成画像シート１０２と、ストッパー１０３と、マスクシート１０４とを有する。合成画像シート１０２の上面には、合成画像１０２ａが形成されている。この合成画像１０２ａは、４種類の画像を基に作成されたグリッド状の合成画像である。より具体的には、図９（ａ）〜（ｄ）に示すように、「Ａ」、「Ｂ」、「Ｃ」及び「Ｄ」の４つの画像を合成することにより、図１０に示す合成画像１０２ａを得ることができる。そして、この合成画像１０２ａに対応するように、マスクシート１０４が形成されている。マスクシート１０４は、マトリックス状に配置された矩形の透過部１０４ａを有する。この矩形の透過部１０４ａが設けられている領域以外は遮蔽部とされている。各透過部１０４ａの寸法は、上記４種類の画像におけるグリッドを構成している１つの枡目に相当する大きさとされている。
【０００５】
他方、ストッパー１０３は、矩形枠状の形状を有し、開口１０３ａは、合成画像１０２ａと等しい寸法か、あるいは合成画像１０２ａよりも若干大きくされる。
【０００６】
また、上記マスクシート１０４は、開口１０３ａよりも小さな寸法を有する。ストッパー１０３の開口１０３ａ内において、マスクシート１０４が移動され得る。
【０００７】
使用に際しては、上記合成画像シート１０２上に、ストッパー１０３を載置する。しかる後、ストッパー１０３の開口１０３ａ内にマスクシート１０４を配置する。この状態を図８に平面図で示す。図８に示すように、開口１０３ａよりもマスクシート１０４の方が小さいため、開口１０３ａ内でマスクシート１０４をスライドさせ得る。そして、マスクシート１０４を開口１０３ａ内においてスライドさせると、マスクシート１０４の透過部１０４ａが４種類の画像「Ａ」、「Ｂ」、「Ｃ」または「Ｄ」のいずれかの画像が印刷される位置に載置されると、各画像「Ａ」〜「Ｄ」のいずれかが観察される。すなわち、図１１〜図１３に示すように、画像「Ａ」、画像「Ｂ」または画像「Ｃ」が透過部１０４ａによって観察され得る位置とされている時には、それぞれ、画像「Ａ」〜画像「Ｃ」が観察されることになる。
【０００８】
従って、開口１０３ａ内において、合成画像１０２ａ上においてマスクシート１０４をスライドさせるだけで、４種類の画像を観察することができる。言い換えれば、１つの合成画像１０２ａを印刷等により形成することにより、４種類の画像の変化を楽しむことができ、ひいては４コマの動画を実現することも可能とされている。
【特許文献１】特開平１１−３２７４７９号公報
【発明の開示】
【発明が解決しようとする課題】
【０００９】
スライド式画像変化表示装置１０１では、上記のようにマスクシート１０４と合成画像シート１０２とを用いて、４種類の画像の変化を楽しむことができる。もっとも、このスライド式画像変化表示装置では、マスクシート１０４が、合成画像シート１０２と別部材として用意されていた。従って、観察者は、常に、合成画像シート１０２だけでなく、上記マスクシート１０４を用意しなければならない。従って、マスクシート１０４を紛失した場合には、合成画像シート１０２のみを用意したとしても、画像変化を楽しむことはできなかった。
【００１０】
また、マスクシート１０４のスライド量を規制するために、ストッパー１０３が設けられているが、このストッパー１０３も合成画像シート１０２及びマスクシート１０４とは別部材として用意されているため、ストッパー１０３を紛失した場合には、マスクシート１０４のスライド量が大きくなりすぎ、４種類の画像変化を確実に楽しむことができないことがあった。
【００１１】
さらに、スライド式画像変化表示装置１０１では、１枚の合成画像シート１０２が図示されていたが、多数枚の合成画像シート１０２を用意した場合には、より一層多くの画像変化を楽しむことができる。しかしながら、複数枚の合成画像シート１０２をランダムに用意しただけでは、その一部の合成画像シート１０２が紛失するおそれがあった。
【００１２】
従来のスライド式画像変化表示装置では、マスクシートの移動量が大きすぎると、目的とする画像を観察することができないこともあった。
【００１３】
本発明の目的は、上述した従来技術の現状に鑑み、マスクシートやストッパーの紛失により画像変化を楽しむことができないことがなく、より一層多くの画像の変化、ひいては多くのコマ数の動画を容易に楽しむことを可能とするスライド式画像変化表示冊子を提供することにある。
【課題を解決するための手段】
【００１４】
本発明によれば、４種類の画像を基に作成されたグリッド状の合成画像が第１の面に表されており、第２の面に文字もしくは図柄情報が表されている複数枚の合成画像シートが、重なり合う合成画像シートの第１の面と第２の面とが対向するように第１の辺側において綴じられており、前記複数枚の合成画像シートの内、１枚の合成画像シートにおいて、前記複数枚の合成画像シートが綴じられている前記第１の辺とは異なる第２の辺において、透過部と遮蔽部とが規則的に配置されており、前記合成画像上でスライドさせることにより観察される画像を変化させるマスクシートが、合成画像シートの第１の面に重ねられ、かつ第１の面上において移動され得るように配置された合成画像観察状態と、前記合成画像シートの側方に配置された合成画像シートをページ送りすることができるページ送り可能状態とをとり得るように連結されており、前記マスクシートのスライド可能範囲が、４種類の画像の各画像を観察し得る範囲とされていることを特徴とする、スライド式画像変化表示冊子が提供される。
【００１５】
本発明に係るスライド式画像変化表示冊子のある特定の局面では、前記複数枚の合成画像シートが前記第１の辺側において、リング状結束具で綴じられており、かつ前記マスクシートが、前記少なくとも１枚の合成画像シートの第２の辺側においてリング状結束具により綴じられている。
【００１６】
本発明に係るスライド式画像変化表示冊子の他の特定の局面では、前記第２の辺が、前記第１の辺とは対向する辺である。
【００１７】
本発明に係るスライド式画像変化表示冊子のさらに他の特定の局面では、前記第２の辺側に配置されたリング状結束具が、前記マスクシートに設けられた複数の貫通孔に挿通されており、該貫通孔の寸法が、前記マスクシートをスライドさせ得る範囲に対応した大きさとされている。
【００１８】
本発明に係るスライド式画像変化表示冊子のさらに別の特定の局面では、前記第２の面に表されている情報がカレンダー情報である。
【発明の効果】
【００１９】
本発明に係るスライド式画像変化表示冊子では、前述した特許文献１に記載のスライド式画像変化表示装置と同様に、４種類の画像を基に作成されたグリッド状の合成画像上に、マスクシートを載置し、該マスクシートをスライドさせることにより、４種類の各画像を観察することができる。従って、４種類の画像の変化、ひいては４コマの動画を実現することができる。
【００２０】
しかも、本発明のスライド式画像変化表示冊子では、複数枚の合成画像シートが、第１の辺側において、合成画像シートの合成画像が設けられている第１の面と、第１の面とは反対側の面であって、文字もしくは図柄情報が表されている第２の面とが対向するように綴じられている。従って、第１の辺側において綴じられている部分から複数枚の合成画像シートを順に開いていくことにより、複数枚の合成画像シートの第１の面を順に露出させることができ、それによって第１の面に設けられている各合成画像を順に露出させ、マスクシートを表面に載置し、画像変化を楽しむことができる。従って、多数の合成画像シートに設けられた合成画像に基づき、より多くの画像変化やより多くのコマ数の動画を楽しむことができる。
【００２１】
さらに、上記合成画像シートの第２の面には、文字もしくは図柄情報が表されているので、文字もしくは図柄情報により、様々な情報を表すことができる。
【００２２】
加えて、上記複数枚の合成画像シートの第２の辺側において、マスクが合成画像観察状態と、ページ送り可能状態とをとり得るように連結されているので、マスクシートが紛失するおそれがなく、かつマスクシートをページ送り状態とすることにより、合成画像シートのページ送りを行い、マスクシートを合成画像上に配置された合成画像観察状態とすることによりマスクシートをスライドさせて画像変化を楽しむことかできる。
【００２３】
よって、本発明によれば、マスクシートの紛失が生じ難く、かつマスクシートが上記画像観察状態とページ送り状態とをとり得るように、マスクシートの第２の辺側において連結されており、マスクシートのスライド可能範囲が４種類の画像の各画像を観察し得る範囲とされているため、ストッパーを省略することができる。
【００２４】
よって、多数の合成画像における画像変化を、容易にかつ確実に楽しむことが可能となる。
【００２５】
本発明において、複数枚の合成画像シートが第１の辺において、リング状結束具で綴じられており、かつマスクシートが、少なくとも１枚の合成画像シートの第２の辺において、リング状結束具により綴じられている場合には、合成画像シートのページ送り、マスクシートの合成画像観察状態とページ送り可能状態との間で移動させる操作を容易に行うことができる。
【００２６】
第２の辺が第１の辺とは対向する辺である場合には、複数枚の合成画像シートのページを送った後に、第２の辺の側方に配置されているマスクシートを、合成画像上に容易に載置し、画像を観察した後には、マスクシートをページ送り可能状態となるように展開するだけで、合成画像シートのページ送りを容易に行うことができる。
【００２７】
第２の辺側に配置されたリング状結束具が、マスクシートに設けられた複数の貫通孔に挿通されており、該貫通孔の寸法が、マスクシートをスライドさせ得る範囲に対応した大きさとされている場合には、貫通孔の寸法により前述したストッパーとしての機能が果たされる。
【００２８】
第２の面に表されている情報がカレンダー情報である場合には、本発明に係るスライド式画像変化表示冊子はカレンダーとして用いることも可能とされる。
【発明を実施するための最良の形態】
【００２９】
以下、図面を参照しつつ本発明の具体的な実施形態を説明することにより、本発明を明らかにする。
【００３０】
図１は、本発明の一実施形態に係るスライド式画像変化表示冊子を説明するための模式的平面図であり、図２はその外観を示す斜視図である。図１に示すように、スライド式画像変化表示冊子１は、複数枚の合成画像シート２〜６を有する。
【００３１】
合成画像シート２は、紙もしくはフィルムなどの適宜のシート材料からなる。合成画像シート２を例にとると、第１の面２ａに、合成画像７が印刷等により形成されている。合成画像７は前述した特許文献１に記載の合成画像１０２ａと同様にして形成される。従って、合成画像７は、４種類の画像を基に作成されたグリッド状の合成画像である。
【００３２】
他方、合成画像シート２の第１の面２ａとは反対側の第２の面には、文字もしくは図柄情報が表されている。図１では、第２の面は図示されていないが、合成画像シート３の第２の面３ｂが図示されている。合成画像シート３の第２の面３ｂには、文字情報としてカレンダー情報８が表されている。
【００３３】
なお、図１では明瞭ではないが、合成画像シート２の第２の面にも同様にカレンダー情報が表されている。さらに、合成画像シート４〜６の各第２の面にもカレンダー情報が表されている。従って、本実施形態の画像変化表示冊子１は、カレンダーとして用いることができるものである。
【００３４】
他方、合成画像シート２の第１の面２ａには、合成画像７が印刷されていたが、他の合成画像シート３〜６の第１の面にも、それぞれ、合成画像が印刷されている。すなわち、、重なり合う合成画像シートは、一方の合成画像シートの第１の面と、他方の合成画像シートの第２の面とが対向するように重なり合わされている。
【００３５】
そして、複数枚の合成画像シート２〜６は、第１の辺２ｘ側においてリング状結束具９を用いて綴じられている。すなわち、各合成画像シート２〜６の第１の辺側には、複数の貫通孔１０が整列形成されており、該貫通孔１０に挿通されるようにリング状結束具９が取り付けられ、複数枚の合成画像シート２〜６が綴じられている。
【００３６】
もっとも、複数枚の合成画像シート２〜６を第１の辺側において綴じる形態は、リング状結束具９を用いたものに限定されず、接着剤、糸もしくはステイプル等により綴じられていてもよい。いずれにしても、複数枚の合成画像シート２〜６が第１の辺側において第１の面及び第２の面が順次観察し得るように開かれ得る限り、結束具の形態は特に限定されるものではない。
【００３７】
他方、本実施形態では、複数枚の合成画像シート２〜６の内、１枚の合成画像シート２において、上記第１の辺２ｘとは反対側の辺である第２の辺２ｙに、複数の貫通孔１１が整列形成されている。そして、貫通孔１１にリング状結束具１２が挿通されている。このリング状結束具１２を用い、マスクシート１３が連結されている。マスクシート１３の１つの辺にも、整列形成された貫通孔１４が配置されている。マスクシート１３には、多数の透過部１３ａが配置されている。透過部１３ａが設けられている部分以外は、遮蔽部とされている。このようなマスクシート１３は、前述した特許文献１に記載のマスクシート１０４と同様に構成され得る。
【００３８】
すなわち、上記透過部１３ａは、合成画像７を構成している４つの画像の内少なくとも１つの画像を観察し得るように配置されている。より具体的には、合成画像７においては、グリッドを構成している枡目が４個単位で一組とされている。すなわち、集合されている４個の正方形の枡目を、今第１〜第４の枡目とする。上記透過部１３ａは、合成画像７上にマスクシート１３が載置された際に、透過部１３ａが多数の第１の枡目状にのみ位置する第１の観察状態、第２の枡目状にのみ位置する第２の観察状態、第３の枡目状にのみ位置する第３の観察状態及び第４の枡目状にのみ位置する第４の観察状態とをとり得るように構成されている。従って、多数の透過部１３ａが、上記第１の枡目状に重ねられている時には、４種類の画像の内の１つの画像が観察されることになり、透過部１３ａを、第２の枡目、第３の枡目あるいは第４の枡目状にスライドさせていくことにより、２番目から４番目の画像へと画像を変化させることができる。
【００３９】
図３及び図４は、１枚の合成画像シート２における画像変化を示す模式的各平面図である。図３に示すように、１枚の合成画像シート２に設けられている合成画像７においては、図３の４つの画像がマスクシート１３をスライドさせることにより観察され得る。従って、マスクシート１３を適宜スライドさせることにより、図４に略図的に示すように、空中を舞っているボールが順に移動するような４コマの動画を楽しむことができる。このように、複数枚の合成画像シート２〜６のそれぞれにおいて、４つの画像を観察することができる。従って、マスクシート１３をスライドさせるだけで、４種類の画像間の変化、ひいては４コマの動画を楽しむことができる。本実施形態では、他の合成画像シート３〜６においても、それぞれ、同様に４種類の画像の変化を楽しむことができる。
【００４０】
マスクシート１３は、透明フィルムに遮蔽部を設けるように印刷を施したものなどの適宜のフィルムもしくはシートで構成される。
【００４１】
上記マスクシート１３は、リング状結束具１２により合成画像シート２に連結されているが、図１に示す状態では、マスクシート１３は、合成画像シート２の側方に位置している、ページ送り可能状態とされている。この状態においては、合成画像シート２の次に、次の合成画像シート３をページ送りし、合成画像シート３の第１の面に表されている合成画像を露出することができる。すなわち、合成画像シート２の第１の面２ａ上に、次の合成画像シート３の第２の面３ｂが重ねられ、それによって合成画像シート３の第１の面の合成画像が露出される。次に、マスクシート１３を、図１に示す状態から、リング状結束具１２を中心として回転させ、マスクシート１３を露出した合成画像上に載置することができる。その状態が、合成画像観察状態となり、マスクシート１３を合成画像上でスライドさせることにより、特許文献１に記載のスライド式画像変化表示装置と同様に、４種類の画像や、４コマの動画を楽しむことができる。この場合、マスクシート１３のスライド量は、上記貫通孔１４とリング状結束具１２とにより決定される。すなわち、本実施形態では、貫通孔１４の寸法は、上記４種類の画像の変化を楽しむことができる範囲でマスクシート１３の移動量を実現し得る寸法とされている。言い換えれば、貫通孔１４が、特許文献１に記載のストッパー１０３の機能を果たしている。
【００４２】
従って、画像変化表示冊子１を用いる場合、マスクシート１３が、リング状結束具１２で連結されており、かつ貫通孔１４がストッパーとして機能するため、マスクシートやストッパーの紛失のおそれがない。
【００４３】
次に、スライド式画像変化表示冊子１の使用方法を説明する。
【００４４】
図２に斜視図で示すように、マスクシート１３が上部に位置しており、その下方に、合成画像シート６、合成画像シート５……の順に複数枚の合成画像シート２〜６が積層されている。図２に示す状態では、マスクシート１３が最上部に位置しており、その下方に合成画像シート６の第１の面に印刷された合成画像が位置することになるため、その状態においてマスクシート１３をスライドさせ、４種類の画像の変化を楽しむことができる。すなわち、マスクシート１３は、初期状態では、合成画像観察状態とされている。
【００４５】
次に、図２に示す状態から、図５に示すようにマスクシート１３を展開し、ページ送り可能状態とする。この状態から、既に観察した合成画像シート６を右側に展開し、ページ送りする。その結果、図６に示すように、合成画像シート６の下方に積層されていた合成画像シート５の第１の面が露出する。従って、その状態において、マスクシート１３を、再度、合成画像シート５側に反転させる。よって、図６に示されている合成画像シート５上に、マスクシート１３（図６では図示せず）が載置され、合成画像シート５の第１の面に印刷されていた合成画像１５による画像変化を楽しむことができる。このように、マスクシート１３を、合成画像観察状態と、ページ送り可能状態との間で変化させ、ページ送り可能状態において、合成画像シート２〜６を順にページ送りしていくことにより、複数枚の合成画像シート２〜６の各第１の面に表された合成画像による画像変化を楽しむことができる。
【００４６】
上記のように、本実施形態のスライド式画像変化表示冊子では、上記のように、マスクシート１３がリング状結束具で連結されており、紛失のおそれがなく、またストッパーを省略することができる。従って、多数の合成画像シート２〜６にあらわされている合成画像を確実にかつ容易に楽しむことができる。
【００４７】
加えて、上記各合成画像シート２〜６の第２の面に表されている文字情報または図柄情報により、画像変化表示冊子に、カレンダーとして機能や、絵本における文字の説明機能を持たせることができる。よって、本発明のスライド式画像変化表示冊子は、画像変化や動画を楽しむことができる、絵本やカレンダーなどの様々な複合機能を果たす冊子として構成することができる。
【００４８】
なお、マスクシート１３を画像変化シートに連結する結束具はリング状結束具に限定されるものではなく、マスクシート１３をスライドさせ得る限り、適宜の結束具を用いることができる。
【００４９】
さらに、マスクシートが連結される辺は、複数枚の画像変化シートが綴じられている第１の辺と反対側の第２の辺に限定されず、他の辺であってもよい。
【図面の簡単な説明】
【００５０】
【図１】本発明の一実施形態に係るスライド式画像変化表示冊子を示す平面図。
【図２】図１に示したスライド式画像変化表示冊子の外観を示す斜視図。
【図３】図１に示した実施形態のスライド式画像変化表示冊子における１枚の合成画像シートにおいて観察され得る４つの画像を示す模式的平面図。
【図４】図１に示した実施形態のスライド式画像変化表示冊子において、４つの画像により実現される４コマの動画を説明するための模式的平面図。
【図５】図１に示した実施形態のスライド式画像変化表示冊子において、文字送りを行う工程を説明するための斜視図。
【図６】ページ送りにより表された次の合成画像シート上に表されている画像を示す平面図。
【図７】従来のスライド式画像変化表示装置を示す分解斜視図。
【図８】図７に示した従来のスライド式画像変化表示装置の平面図。
【図９】（ａ）〜（ｄ）は、従来スライド式画像変化表示装置において合成画像を構成している４種類の画像を示す各平面図。
【図１０】従来のスライド式画像変化表示装置において印刷されている合成画像を示す模式的平面図。
【図１１】従来のスライド式画像変化表示装置において表される１つの画像を示す模式的平面図。
【図１２】従来のスライド式画像変化表示装置において表される他の１つの画像を示す模式的平面図。
【図１３】従来のスライド式画像変化表示装置において表されるさらに他の１つの画像を示す模式的平面図。
【符号の説明】
【００５１】
１…スライド式画像変化表示冊子
２…合成画像シート
２ａ…第１の面
２ｘ…第１の辺
２ｙ…第２の辺
３…合成画像シート
３ｂ…第２の面
４〜６…合成画像シート
７…合成画像
８…カレンダー情報
９…リング状結束具
１０…貫通孔
１１…貫通孔
１２…リング状結束具
１３…マスクシート
１３ａ…透過部
１４…貫通孔
１５…合成画像
【図１】
2006178336.tif 000003
【図２】
2006178336.tif 000004
【図３】
2006178336.tif 000005
【図４】
2006178336.tif 000006
【図５】
2006178336.tif 000007
【図６】
2006178336.tif 000008
【図７】
2006178336.tif 000009
【図８】
2006178336.tif 000010
【図９】
2006178336.tif 000011
【図１０】
2006178336.tif 000012
【図１１】
2006178336.tif 000013
【図１２】
2006178336.tif 000014
【図１３】
2006178336.tif 000015